(57)【特許請求の範囲】
【請求項１】
人および物体を輸送するための踏段ベルトまたはパレットベルト、傾斜した欄干上部構造およびハンドレールを有する欄干、および欄干基部に配置され、踏段ベルトまたはパレットベルトを照らす照明装置からなるエスカレータまたは動く歩道であって、照明装置（７）が基部（５）および／または欄干上部構造の構成要素（６、１２、１３）の支持部として備えられ、該照明装置（７）が一体プロファイル部材を備え、該一体プロファイル部材が欄干を支持するためのラグ、光源を取り付けるためのドッグおよび後方の反射器を含み、欄干基部と同一平面にある正面を有することを特徴とするエスカレータまたは動く歩道。
【請求項２】
照明装置（７）が踏段ベルト（１．１）またはパレットベルトに沿って延びる照明プロファイル部材（８）を備えることを特徴とする請求項１に記載のエスカレータまたは動く歩道。
【請求項３】
照明プロファイル部材（８）が構成要素（６、１２、１３）を固定するためのラグ（８．４、８．７、８．８）を有することを特徴とする請求項２に記載のエスカレータまたは動く歩道。
【請求項４】
照明プロファイル部材（８）の後方部分が反射器（８．１）として構成されること、および光源（９）用の光源マウント（１０）が固定されるドッグ（８．２）が反射器（８．１）の正面に配置されることを特徴とする請求項３に記載のエスカレータまたは動く歩道。
【請求項５】
冷陰極管、側面光出口を有する光導体、または発光ダイオードの列が光源（９）として備えられることを特徴とする請求項４に記載のエスカレータまたは動く歩道。
【発明の詳細な説明】
【０００１】
【発明の属する技術分野】
本発明は、人および物体を輸送するための踏段ベルトまたはパレットベルト、傾斜した欄干上部構造およびハンドレールを有する欄干、および欄干基部に配置され、踏段ベルトまたはパレットベルトを照らす照明装置からなるエスカレータまたは動く歩道に関する。
【０００２】
【従来の技術】
基部外装が配置される基部サポートを有するエスカレータは米国特許明細書第ＵＳ２７８５２８６号から知られるようになった。基部外装は、一端では基部サポートのブラケットに固定され、他端では傾いて配置された欄干パネルが固定される締付けストリップによって保持される。基部の後方に配置され、かつエスカレータの支持構造によって担持される照明装置は踏段区域を照らす働きをする。反射器は、管状光源の光を、透明な基部外装を介して踏段ベルトの歩行区域に導く。
【０００３】
この知られている装置の欠点は、基部外装用および傾いて配置された欄干パネル用の支持構造があるために、照明装置用のスペースが基部外装区域に存在しないことに在る。光源の光は高価な反射器によって前方へ歩行区域に導かれなければならない。さらに、照明装置は保守作業のために容易にアクセスできない。
【０００４】
【発明が解決しようとする課題】
本発明は一改善策を与えることができる。請求項１に特徴付けられているように、本発明は、知られている装置の欠点をなくすという課題を解決し、照明装置が踏段ベルトまたはパレットベルトにできるだけ接近した、傾斜した欄干上部構造を有するエスカレータまたは動く歩道を提案する。
【０００５】
【課題を解決するための手段】
本発明によって得られる利点は、本質的に、踏段ベルトまたはパレットベルトの最適な照明が可能であること、および基部全体のスリムな構造形態が照明装置によって可能になることにある。さらに、小さい光出口面を基部外装に設けるだけで最適な照明が得られる。したがって、使用者の破壊行為または不注意による損傷の可能性がかなり小さくなる。さらに照明装置は、保守作業のために容易にアクセスできる。
【０００６】
【発明の実施の形態】
本発明について、単に一実施方法を示す図面を参照しながら以下により詳細に説明する。
【０００７】
図１から図４に、一階Ｅ１と二階Ｅ２とを結び、傾斜した欄干上部構造、および踏段からなる踏段ベルト１．１またはパレットからなるパレットベルトを有するエスカレータまたは動く歩道を参照番号１で示す。傾斜した欄干上部構造を有するエスカレータまたは動く歩道は、たとえば地下鉄など、過酷な環境条件を有する場所に設けられ、破壊行為に十分耐えられるものである。欄干４の上部境界は、欄干支持部４．２によって支持される欄干プロファイル部材４．１に固定されたハンドレール３を形成する。踏段ベルトの側面部で、欄干プロファイル部材４．１は傾いて延びる内側外装６によって、以下で基部５と呼ぶ欄干基部に結合される。内側外装６は金属シート部品から、またはサンドイッチ構造として形成できる。外側外装４．３は欄干支持部４．２を覆う。照明装置７は基部５に配置される。
【０００８】
照明装置７は照明プロファイル部材８を備え、この照明プロファイル部材８は、適切な合成材料から押し出し成形した押し出し成形品またはプロファイル部材として制作され、第五ラグ８．８のところで基部プレート５．０に結合される。照明プロファイル部材８の後方部分は反射器８．１として形成される。反射器８．１の正面には、光源９用の光源マウント１０が固定される二つのドッグ８．２が配置される。光源は、たとえば、冷陰極管、側面光出口を有する光導体、または発光ダイオードの列から構成できる。透明な第一カバー１１は基部プレート５．０用の同一平面のクロージャとして備えられる。踏段ベルト１．１またはパレットベルトに沿って延びる照明プロファイル部材８は複数の区分から構成され、これらの区分はそれらの結合位置で、各区分がねじ１６によって一緒に結合される結合ストラップ１５を有する。照明装置７の上部には第二カバー１２が配置され、第二カバー１２は、透明な第一カバー１１と内側外装６との間の移行部分を形成し、かつ皿頭ねじ１７によって照明プロファイル部材８に固定される。照明プロファイル部材８の第四ラグ８．７に固定されるケージナット１８はねじ山の働きをする。ねじ結合部品２６によって結合されて一体になるＵ字形の二つの第一および第二金属シート部品２３、２４は、第二ストラップ１９、ねじ２０、ナット２１、およびロックワッシャ２２によって基部５の基部プレート５．０のＣ字形プロファイル部材５．１に固定される。第一金属シート部品２３は、上部端で内側外装６用の台の働きをする押し抜き部分２３．１を有する。ばね要素１４は内側外装６を第二カバー１２に同一平面に押し付ける。弾性合成材料部品をばね要素１４の代わりに使用することもできる。
【０００９】
照明装置７を有する基部の変形実施形態を図４に示す。結合ストラップ１５は照明プロファイル８の追加の垂直方向ウェブ８．３のところに配置される。ウェブ８．３の第一ラグ８．４は内側外装６用の台の働きをする。第二ラグ８．５は第三ラグ８．６とともに、固定要素２０、２１、２２によって基部５のＵ字形曲り金属シート部品２５にねじ結合されたストラップ１９を固定する。偏向ブラシ１３は、照明プロファイル部材８の第五ラグ８．８に選択的に固定することができる。
【図面の簡単な説明】
【図１】傾斜した欄干および基部照明を有するエスカレータを示す図である。
【図２】図１の線２−２に沿った断面を示す図である。
【図３】照明装置を有する基部の断面Ａを示す図である。
【図４】基部および照明装置の変形実施形態を示す図である。
【符号の説明】
Ｅ１  一階
Ｅ２  二階
１  エスカレータまたは動く歩道
１．１  踏段ベルト
２  断面基準線
３  ハンドレール
４  欄干
４．１  欄干プロファイル部材
４．２  欄干支持部
４．３  外側外装
５  基部
５．０  基部プレート
５．１  Ｃ字形プロファイル部材
６  内側外装
７  照明装置
８  照明プロファイル部材
８．１  反射器
８．２  ドッグ
８．３  垂直方向ウェブ
８．４  第一ラグ
８．５  第二ラグ
８．６  第三ラグ
８．７  第四ラグ
８．８  第五ラグ
９  光源
１０  光源マウント
１１  第一カバー
１２  第二カバー
１３  偏向ブラシ
１４  ばね要素
１５  結合ストラップ
１６  ねじ
１７  皿頭ねじ
１８  ケージナット
１９  第二ストラップ
２０  ねじ
２１  ナット
２２  ロックワッシャ
２３  Ｕ字形第一金属シート部品
２３．１  押し抜き部分
２４  第二金属シート部品
２５  Ｕ字形曲り金属シート部品
２６  ねじ結合部品
【図１】
0004629812.tif 000002
【図２】
0004629812.tif 000003
【図３】
0004629812.tif 000004
【図４】
0004629812.tif 000005